【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
感光体および前記感光体上を露光走査する露光手段を備える画像形成装置において、
前記感光体上の特定位置を起点として回転方向へ並ぶ各位置とそれぞれ対応付けられる感度の基準補正値を保持する保持手段と、
前記感光体上の前記特定位置が予め設定されている基準位置へ到達した際に、該特定位置を検出する検出手段と、
前記検出手段により前記特定位置が検出される毎に、該特定位置を起点として、前記感光体上の露光走査位置を認識する認識手段と、
前記保持手段に保持されている各位置の基準補正値を参照して、前記認識された露光走査位置毎にその感度の補正値を算出する補正値算出手段と、
前記認識された露光走査位置毎に、その感度の補正値に基づいて前記露光手段の露光量を制御する露光量制御手段とを備え、
前記補正値算出手段は、前記特定位置またはそれを超える位置が露光走査位置として認識される前に、前記感光体上の特定位置が検出された場合、前記検出手段による前記特定位置の検出後に認識される露光走査位置の補正値を、該露光走査位置の補正値とその前の露光走査位置の補正値との差が予め設定された範囲内に収まるように算出することを特徴とする画像形成装置。
【請求項２】
感光体および前記感光体上を露光走査する露光手段を備える画像形成装置において、
前記感光体上の特定位置を起点として回転方向へ並ぶ各位置とそれぞれ対応付けられる感度の基準補正値を保持する保持手段と、
前記感光体上の前記特定位置が予め設定されている基準位置へ到達した際に、該特定位置を検出する検出手段と、
前記検出手段により前記特定位置が検出される毎に、該特定位置を起点として、前記感光体上の露光走査位置を認識する認識手段と、
前記保持手段に保持されている各位置の基準補正値を参照して、前記認識された露光走査位置毎にその感度の補正値を算出する補正値算出手段と、
前記認識された露光走査位置毎に、その感度の補正値に基づいて前記露光手段の露光量を制御する露光量制御手段とを備え、
前記補正値算出手段は、前記検出手段により前記特定位置が検出される前に、前記認識手段により現在の露光走査位置として前記特定位置またはそれを超える位置が認識された場合、前記検出手段により前記感光体上の特定位置が検出されるまでの期間中に、現在の露光走査位置として認識された位置以降の露光走査位置に対する補正値を、現在の露光走査位置として認識された位置の補正値とすることを特徴とする画像形成装置。
【請求項３】
感光体および前記感光体上を露光走査する露光手段を備える画像形成装置において、
前記感光体上の特定位置を起点として回転方向へ並ぶ各位置とそれぞれ対応付けられる感度の基準補正値を保持する保持手段と、
前記感光体上の前記特定位置が予め設定されている基準位置へ到達した際に、該特定位置を検出する検出手段と、
前記検出手段により前記特定位置が検出される毎に、該特定位置を起点として、前記感光体上の露光走査位置を認識する認識手段と、
前記保持手段に保持されている各位置の基準補正値を参照して、前記認識された露光走査位置毎にその感度の補正値を算出する補正値算出手段と、
前記認識された露光走査位置毎に、その感度の補正に基づいて前記露光手段の露光量を制御する露光量制御手段とを備え、
前記補正値算出手段は、前記認識手段により露光走査位置として前記特定位置またはそれを超える位置が認識される前に、前記検出手段により前記感光体上の特定位置が検出された場合、該特定位置の検出時点で認識された露光走査位置に対する補正値を、前記特定
位置に対応する基準補正値に戻すことを特徴とする画像形成装置。
【請求項４】
感光体と、前記感光体上を露光走査する露光手段と、前記感光体上の特定位置を起点として回転方向へ並ぶ各位置とそれぞれ対応付けられる感度の基準補正値を保持する保持手段とを備える画像形成装置の制御方法であって、
前記感光体上の前記特定位置が予め設定されている基準位置へ到達した際に、該特定位置を検出する検出工程と、
前記特定位置が検出される毎に、該特定位置を起点として、前記感光体上の露光走査位置を認識する認識工程と、
前記保持手段に保持されている各位置の基準補正値を参照して、前記認識された露光走査位置毎にその感度の補正値を算出する補正値算出工程と、
前記認識された露光走査位置毎に、その感度の補正値に基づいて前記露光手段の露光量を制御する露光量制御工程とを備え、
前記補正値算出工程では、前記特定位置またはそれを超える位置が露光走査位置として認識される前に、前記感光体上の特定位置が検出された場合、前記特定位置の検出後に認識される露光走査位置に対する補正値を、該露光走査位置の補正値とその前の露光走査位置の補正値との差が予め設定された範囲内に収まる補正値とすることを特徴とする画像形成装置の制御方法。
【請求項５】
感光体と、前記感光体上を露光走査する露光手段と、前記感光体上の特定位置を起点として回転方向へ並ぶ各位置とそれぞれ対応付けられる感度の基準補正値を保持する保持手段とを備える画像形成装置の制御方法であって、
前記感光体上の前記特定位置が予め設定されている基準位置へ到達した際に、該特定位置を検出する検出工程と、
前記特定位置が検出される毎に、該特定位置を起点として、前記感光体上の露光走査位置を認識する認識工程と、
前記保持手段に保持されている各位置の基準補正値を参照して、前記認識された露光走査位置毎にその感度の補正値を算出する補正値算出工程と、
前記認識された露光走査位置毎に、その感度の補正に基づいて前記露光手段の露光量を制御する露光量制御工程とを備え、
前記補正値算出工程では、前記特定位置が検出される前に、前記特定位置またはそれを超える位置が現在の露光走査位置として認識された場合、前記特定位置が検出されるまでの期間中に、現在の露光走査位置として認識された位置以降の露光走査位置に対する補正値を、現在の露光走査位置として認識された位置の補正値とすることを特徴とする画像形成装置の制御方法。
【請求項６】
感光体と、前記感光体上を露光走査する露光手段と、前記感光体上の特定位置を起点として回転方向へ並ぶ各位置とそれぞれ対応付けられる感度の基準補正値を保持する保持手段とを備える画像形成装置の制御方法であって、
前記感光体上の前記特定位置が予め設定されている基準位置へ到達した際に、該特定位置を検出する検出工程と、
前記特定位置が検出される毎に、該特定位置を起点として、前記感光体上の露光走査位置を認識する認識工程と、
前記保持手段に保持されている各位置の基準補正値を参照して、前記認識された露光走査位置毎にその感度の補正値を算出する補正値算出工程と、
前記認識された露光走査位置毎に、その感度の補正に基づいて前記露光手段の露光量を制御する露光量制御工程とを備え、
前記補正値算出工程では、前記特定位置またはそれを超える位置が露光走査位置として認識される前に、前記特定位置が検出された場合、該特定位置の検出時点で認識された露光走査位置に対する補正値を、前記特定位置に対応する基準補正値に戻すことを特徴とす
る画像形成装置の制御方法。
【手続補正２】
【補正対象書類名】明細書
【補正対象項目名】００１３
【補正方法】変更
【補正の内容】
【００１３】
本発明は、上記目的を達成するため、感光体および前記感光体上を露光走査する露光手段を備える画像形成装置において、前記感光体上の特定位置を起点として回転方向へ並ぶ各位置とそれぞれ対応付けられる感度の基準補正値を保持する保持手段と、前記感光体上の前記特定位置が予め設定されている基準位置へ到達した際に、該特定位置を検出する検出手段と、前記検出手段により前記特定位置が検出される毎に、該特定位置を起点として、前記感光体上の露光走査位置を認識する認識手段と、前記保持手段に保持されている各位置の基準補正値を参照して、前記認識された露光走査位置毎にその感度の補正値を算出する補正値算出手段と、前記認識された露光走査位置毎に、その感度の補正値に基づいて前記露光手段の露光量を制御する露光量制御手段とを備え、前記補正値算出手段は、前記検出手段により前記特定位置が検出される前に、前記認識手段により現在の露光走査位置として前記特定位置またはそれを超える位置が認識された場合、前記検出手段により前記感光体上の特定位置が検出されるまでの期間中に、現在の露光走査位置として認識された位置以降の露光走査位置に対する補正値を、現在の露光走査位置として認識された位置の補正値とすることを特徴とする画像形成装置を提供する。
【手続補正３】
【補正対象書類名】明細書
【補正対象項目名】００３８
【補正方法】変更
【補正の内容】
【００３８】
しかしながら、露光走査位置認識部９０１が上記カウンタのカウント値Ｃに基づいて認識する露光走査位置は、実際の露光走査位置とずれる場合がある。これは、感光ドラム７００と転写ローラ７０５間に用紙が進入する際に感光ドラム７００に作用する力、または感光ドラム７００の機械的な要因などにより、感光ドラム７００の回転速度が変動されるからである。
【手続補正４】
【補正対象書類名】明細書
【補正対象項目名】００４９
【補正方法】変更
【補正の内容】
【００４９】
次いで、補正値算出部９０２は、上記絶対値Ａが変化許容値α以下であるか否かを判定する（ステップＳ１０６）。ここで、絶対値Ａが変化許容値αより大きい場合、補正値算出部９０２は、第１の補正値Ｄｃ１が第２の補正値Ｄｃ２より小さいか否かを判定する（ステップＳ１０７）。第１の補正値Ｄｃ１が第２の補正値Ｄｃ２より小さい場合、補正値算出部９０２は、第１の補正値Ｄｃ１に変化許容値αを加算したものを、現在の露光走査位置Ｐｃに対する補正値Ｄｃとして出力する（ステップＳ１０８）。これに対し、第１の補正値Ｄｃ１が第２の補正値Ｄｃ２以上である場合、補正値算出部９０２は、第１の補正値Ｄｃ１から変化許容値αを減算したものを、現在の露光走査位置Ｐｃに対する補正値Ｄｃとして出力する（ステップＳ１０９）。そして、補正値算出部９０２は、上記ステップＳ１０８またはＳ１０９において得られた補正値Ｄｃを第１の補正値Ｄｃ１として保持する（ステップＳ１１０）。このように、補正値算出部９０２は、第１の補正値Ｄｃ１と第２の補正値Ｄｃ２との差の絶対値Ａが変化許容値α以下になるまで、上記ステップＳ１０４からの処理を繰り返す。